【手続補正書】
【提出日】令和1年9月4日(2019.9.4)
【手続補正１】
【補正対象書類名】特許請求の範囲
【補正対象項目名】全文
【補正方法】変更
【補正の内容】
【特許請求の範囲】
【請求項１】
ポリエステル樹脂、及び結着樹脂を含有するトナー粒子を有するトナーであって、
前記ポリエステル樹脂が、
下記式（１）で示される部位と、
下記式（２）で示される部位と
を有するポリエステル樹脂であることを特徴とするトナー。
【化１】
2018039879.tif 000001
【化２】
2018039879.tif 000002
（式（２）中、Ｒは、ヒドロキシ基、カルボキシ基、炭素数１以上１８以下のアルキル基、又は、炭素数１以上１８以下のアルコキシル基を表す。ｆは、０以上３以下の整数を表し、ｆが２又は３の場合、Ｒはそれぞれ独立して選択できる。「＊」は、ポリエステル樹脂との結合部位を示す。）
【請求項２】
前記ポリエステル樹脂中の前記式（２）で示される部位が、下記式（３）で示される構造である請求項１に記載のトナー。
【化３】
2018039879.tif 000003
（式（３）中、Ｒ１は、ヒドロキシ基、カルボキシ基、炭素数１以上１８以下のアルキル基、又は、炭素数１以上１８以下のアルコキシル基を表す。Ｒ２は、水素原子、ヒドロキシ基、炭素数１以上１８以下のアルキル基、又は、炭素数１以上１８以下のアルコキシル基を表す。ｇは、１以上３以下の整数を表す。ｈは０以上３以下の整数を表し、ｈが２又は３の場合、Ｒ１はそれぞれ独立して選択できる。「＊」は、ポリエステル樹脂との結合部位を示す。）
【請求項３】
前記ポリエステル樹脂中の前記式（１）で示される部位の含有量の割合が、前記ポリエステル樹脂を構成する全モノマーユニットを基準として、０．１０ｍｏｌ％以上３０．００ｍｏｌ％以下である請求項１又は２に記載のトナー。
【請求項４】
前記ポリエステル樹脂中の前記式（２）で示される構造の含有量の割合が、前記ポリエステル樹脂を構成する全モノマーユニットを基準として、０．１０ｍｏｌ％以上１０．００ｍｏｌ％以下である請求項１〜３のいずれか１項に記載のトナー。
【請求項５】
前記ポリエステル樹脂のガラス転移温度（Ｔｇ）が、６５℃以上８５℃以下である請求項１〜４のいずれか１項に記載のトナー。
【請求項６】
前記ポリエステル樹脂の重量平均分子量（Ｍｗ）が、８，０００以上５０，０００以下である請求項１〜５のいずれか１項に記載のトナー。
【請求項７】
前記トナー粒子中の前記ポリエステル樹脂の含有量が、前記結着樹脂１００．０質量部に対して、１．０質量部以上１０．０質量部以下である請求項１〜６のいずれか１項に記載のトナー。
【請求項８】
請求項１〜７のいずれか１項に記載のトナーを製造するトナーの製造方法であって、
前記ポリエステル樹脂と、前記結着樹脂を構成する重合性モノマーと、を少なくとも含有する重合性モノマー組成物を水系媒体中に分散し、該水系媒体中で該重合性モノマー組成物の粒子を形成する工程と、
該粒子に含まれる該重合性モノマーを重合させることによりトナー粒子を得る工程と、
を有することを特徴とするトナーの製造方法。
【請求項９】
下記式（１）で示される部位と、下記式（２）で示される部位と、を含有することを特徴とするポリエステル樹脂。
【化４】
2018039879.tif 000004
【化５】
2018039879.tif 000005
（式（２）中、Ｒは、ヒドロキシ基、カルボキシ基、炭素数１以上１８以下のアルキル基、又は、炭素数１以上１８以下のアルコキシル基を表す。ｆは、０以上３以下の整数を表し、ｆが２又は３の場合、Ｒはそれぞれ独立して選択できる。「＊」は、ポリエステル樹脂との結合部位を示す。）
【請求項１０】
前記式（２）で示される部位が、下記式（３）で示される構造である請求項９に記載のポリエステル樹脂。
【化６】
2018039879.tif 000006
（式（３）中、Ｒ１は、ヒドロキシ基、カルボキシ基、炭素数１以上１８以下のアルキル基、又は、炭素数１以上１８以下のアルコキシル基を表す。Ｒ２は、水素原子、ヒドロキシ基、炭素数１以上１８以下のアルキル基、又は、炭素数１以上１８以下のアルコキシル基を表す。ｇは、１以上３以下の整数を表す。ｈは０以上３以下の整数を表し、ｈが２又は３の場合、Ｒ１はそれぞれ独立して選択できる。「＊」は、ポリエステル樹脂との結合部位を示す。）
【請求項１１】
前記式（１）で示される部位の含有量の割合が、前記ポリエステル樹脂を構成する全モノマーユニットを基準として、０．１０ｍｏｌ％以上３０．００ｍｏｌ％以下である請求項９又は１０に記載のポリエステル樹脂。
【請求項１２】
前記式（２）で示される構造の含有量の割合が、前記ポリエステル樹脂を構成する全モノマーユニットを基準として、０．１０ｍｏｌ％以上１０．００ｍｏｌ％以下である請求項９〜１１のいずれか１項に記載のポリエステル樹脂。
【請求項１３】
ガラス転移温度（Ｔｇ）が、６５℃以上８５℃以下である請求項９〜１２のいずれか１項に記載のポリエステル樹脂。
【請求項１４】
重量平均分子量（Ｍｗ）が、８，０００以上５０，０００以下である請求項９〜１３のいずれか１項に記載のポリエステル樹脂。
【手続補正２】
【補正対象書類名】明細書
【補正対象項目名】発明の名称
【補正方法】変更
【補正の内容】
【発明の名称】トナー及びトナーの製造方法並びにポリエステル樹脂
【手続補正３】
【補正対象書類名】明細書
【補正対象項目名】０００１
【補正方法】変更
【補正の内容】
【０００１】
本発明は、電子写真法に用いるトナー及びトナーの製造方法並びにトナーに用いられるポリエステル樹脂に関する。
【手続補正４】
【補正対象書類名】明細書
【補正対象項目名】０００９
【補正方法】変更
【補正の内容】
【０００９】
本発明は、上記問題点に鑑みてなされたものである。すなわち、本発明の目的は、帯電安定性、耐久性に優れるとともに、低温定着性に優れ、良好な保存安定性を有するトナー及びトナーの製造方法並びにポリエステル樹脂を提供することにある。
【手続補正５】
【補正対象書類名】明細書
【補正対象項目名】００１０
【補正方法】変更
【補正の内容】
【００１０】
本発明の一態様によれば、
ポリエステル樹脂、及び結着樹脂を含有するトナー粒子を有するトナーであって、
前記ポリエステル樹脂が、
下記式（１）で示される部位と、
下記式（２）で示される部位と
を有するポリエステル樹脂であるトナーが提供される。
【手続補正６】
【補正対象書類名】明細書
【補正対象項目名】００１３
【補正方法】変更
【補正の内容】
【００１３】
（式（２）中、Ｒは、ヒドロキシ基、カルボキシ基、炭素数１以上１８以下のアルキル基、又は、炭素数１以上１８以下のアルコキシル基を表す。ｆは、０以上３以下の整数を表し、ｆが２又は３の場合、Ｒはそれぞれ独立して選択できる。「＊」は、ポリエステル樹脂との結合部位を示す。）
【手続補正７】
【補正対象書類名】明細書
【補正対象項目名】００１４
【補正方法】変更
【補正の内容】
【００１４】
また、本発明の他の態様によれば、前記トナーを製造するトナーの製造方法であって、
前記ポリエステル樹脂と、前記結着樹脂を構成する重合性モノマーと、を少なくとも含有する重合性モノマー組成物を水系媒体中に分散し、該水系媒体中で該重合性モノマー組成物の粒子を形成する工程と、
該粒子に含まれる該重合性モノマーを重合させることによりトナー粒子を得る工程と、
を有するトナーの製造方法が提供される。
さらに、本発明の他の態様によれば、下記式（１）で示される部位と、下記式（２）で示される部位と、を含有するポリエステル樹脂が提供される。
【化７】
2018039879.tif 000007
【化８】
2018039879.tif 000008
（式（２）中、Ｒは、ヒドロキシ基、カルボキシ基、炭素数１以上１８以下のアルキル基、又は、炭素数１以上１８以下のアルコキシル基を表す。ｆは、０以上３以下の整数を表し、ｆが２又は３の場合、Ｒはそれぞれ独立して選択できる。「＊」は、ポリエステル樹脂との結合部位を示す。）